(57)【要約】【課題】  帽子を着用したままの状態で日除けを着脱することができ、日除けを取り付けることによって、着用者が違和感を覚えることがなく、かつ帽子が変形することがない、日除け帽子を提供する。【解決手段】  帽子１は、着用された状態で帽子１の本体１０の縁１１から突き出た日除取付部３０を備えているから、日除取付部３０のスナップボタン３２と、日除け５０のスナップボタン５１とを嵌め合わせることにより、帽子１を着用したままで、日除け５０を日除取付部３０に取り付けることができ、本体１０内に位置する各部の状態は日除け５０の取り付け前後において変化しない。【選択図】  図２
0003186627.tif 000002
【実用新案登録請求の範囲】
【請求項１】
帽子が着用された状態で帽子の本体の縁から突き出ている日除取付部を備えた日除け帽子。
【請求項２】
前記日除取付部が布状体と当該布状体の表面に設けられた係止部とを備えている請求項１に記載の日除け帽子。
【請求項３】
前記係止部がスナップボタンである請求項２に記載の日除け帽子。
【請求項４】
前記日除取付部の前記布の前記帽子の本体の両側の位置に切欠きが形成されている請求項３に記載の日除け帽子。
【請求項５】
前記帽子の本体の周囲を取り囲む庇を備えている請求項１〜４の何れか１項に記載の日除け帽子。
【請求項６】
前記日除取付部の表面積が前記庇の表面積よりも小さい請求項５に記載の日除け帽子。
【請求項７】
前記帽子の本体の前記縁付近の内側面に汗取り用の折り返し部を備えている請求項１〜６の何れか１項に記載の日除け帽子。
【考案の詳細な説明】
【技術分野】
【０００１】
本考案は、日常生活、農作業、造園、園芸庭造り等において、側方や後方からの紫外線による、顔や首筋の日焼けを防ぐことを目的として着用される、日除けを着脱可能な日除け帽子に関する。
【背景技術】
【０００２】
従来、顔や首筋の日焼けを防止する日除けを取り付け可能な帽子が提案されている（例えば、特許文献１〜３）。
特許文献１および２には、着用者の頭の前側のみに庇を備えたいわゆるキャップ形の帽子において、帽子の本体の縁付近の内側面に接するように折り返された、汗取り用の折り返し部またはその近傍を用いて、日除けを着脱する帽子が記載されている。
また、特許文献１および３には、日除けを取り付け可能な、帽子の本体のまわり全体を覆う庇（鍔）を備えたいわゆるハット形の帽子が記載されている。
【先行技術文献】
【特許文献】
【０００３】
【特許文献１】特開平１０−１５８９１８号公報
【特許文献２】特開平１１−３５０２２７号公報
【特許文献３】特開２００５−２２６１９４号公報
【考案の概要】
【考案が解決しようとする課題】
【０００４】
特許文献１には、折り返された状態の折り返し部またはその近傍に、係止部材を用いて日除けを取り付ける帽子が記載されている。同文献に記載されている帽子は、日除けが取り付けられていない状態では、本体内にない係止部材が、日除けが取り付けられた状態では、本体内の折り返し部に位置する。この日除けの取り付けの有無による本体内の状態の相違が、着用者に違和感を与えるという問題がある。
特許文献２には、折り返し部に切込みを設けて１８０°折り返すことにより、帽子の本体の縁から折り返し部を出して、そこに係止部材を用いて日除けを取り付ける帽子が記載されている。同文献に記載されている帽子は、日除けが取り付けられていない状態では、本体内に位置している折り返し部が、日除けが取り付けられた状態では、本体の縁の外に位置する。この日除けの取り付けの有無による本体内の状態の相違が、着用者に違和感を与えるという問題がある。
上記のとおり、特許文献１、２に記載の帽子はいずれも、日除けが取り付けられているか否かにより、帽子本体内部に位置する部材が異なる。これが着用者に違和感を与える原因になるという問題がある。さらに、折り返し部またはその近傍を日除けの取り付けに用いることから、帽子を着用したままの状態で、日除けを着脱することができないという問題もある。
【０００５】
特許文献１には、係止部材を用いて、ハット形の帽子の庇に日除けを取り付ける帽子が記載されている。しかし、ハット形の帽子の庇は柔らかい素材で形成されることが多く、取り付けた日除けの重みによって庇の形状が変化してしまうという問題がある。
特許文献３には、ボタンと紐とを用いて、庇の一部を覆うようにして日除けを取り付ける帽子が記載されている。しかし、同文献に記載されている帽子のように、日除けで庇を覆ってしまうと、帽子のデザインが損なわれてしまうという問題がある。
【０００６】
そこで、本考案は、帽子を着用したままの状態で日除けを着脱することができ、日除けを取り付けることによって、着用者が違和感を覚えることがなく、かつ、帽子が変形することのない、日除け帽子を提供することを目的としている。
【課題を解決するための手段】
【０００７】
請求項１に記載の考案は、帽子が着用された状態で帽子の本体の縁から突き出ている日除取付部を備えた日除け帽子である。
本件考案において、「縁」とは、帽子が着用された状態において着用者の頭と接する帽子の本体内周面の下端をいう。
請求項２に記載の考案は、請求項１に記載の考案において、前記日除取付部が布状体と当該布状態の表面に設けられた係止部とを備えている。
本件考案において、「布状体」とはシート形状のものをいい織物に限らない。また、「係止部」とは、取り外し可能な状態で日除けを日除取付部に保持できるものをいう。
請求項３に記載の考案は、請求項２に記載の考案において、前記係止部がスナップボタンである。
請求項４に記載の考案は、請求項３に記載の考案において、前記日除取付部の前記布の前記帽子の本体の両側の位置に切欠きが形成されている。
本件考案において、「切欠き」とは、幅が他の部分よりも狭くなった布状体の領域をいう。
請求項５に記載の考案は、請求項１〜４の何れか１項に記載の考案において、前記帽子の本体の周囲を取り囲む庇を備えている。
請求項６に記載の考案は、請求項５に記載の考案において、前記日除取付部の表面積が前記庇の表面積よりも小さい。
請求項７に記載の考案は、請求項１〜６の何れか１項に記載の考案において、帽子の本体のクラウン部の縁付近の内側面に汗取り用の折り返し部を備えている。
【考案の効果】
【０００８】
本発明の日除け帽は、帽子が着用された状態で帽子の本体の縁から突き出ている日除取付部を備えているから、帽子を着用した状態のままで、日除けを着脱することができる。
また、日除けの取り付けの有無により、帽子の本体内に位置する部材は変化しないから、日除けを取り付けることによって着用者に違和感を与えることはない。
さらに、日除けが取り付けられた場合、日除けの重みは本体の縁から突き出ている日除取付部にかかるから、変形しやすい庇に大きな負荷がかかることはない。このため、日除け帽子は、日除けが取り付けられていない状態の形状を維持することができる。
【図面の簡単な説明】
【０００９】
【図１】本考案の第１の実施形態の帽子（その１）を本体の縁側から見た斜視図
【図２】図１の帽子への日除けの取り付けを説明する本体の縁側から見た斜視図
【図３】図１の帽子に日除けが取り付けられた状態を本体の縁側から見た斜視図
【図４】本考案の第１の実施形態の帽子（その２）を本体の縁側から見た斜視図
【図５】本考案の第１の実施形態の帽子（その３）を本体の縁側から見た斜視図
【図６】本考案の第２の実施形態の帽子を本体の縁側から見た斜視図
【図７】図６の帽子に日除けが取り付けられた状態を本体の縁側から見た斜視図
【考案を実施するための形態】
【００１０】
以下、本考案の実施形態について、図面を参照して説明する。
〔第１の実施形態〕
図１は、本実施形態の帽子を本体の縁側から見た斜視図である。
同図に示すように、本実施形態の帽子１は、帽子の本体１０の周りが庇２０により覆われた、いわゆるハット型の帽子である。本体１０の縁１１に、日除取付部３０を備えており、縁１１近辺の本体１０の内側面に汗取り用の折り返し部４０を備えている。日除取付部３０は、庇２０の下面の内周端と折り返し部４０との間から、突出するように設けられている。
【００１１】
日除取付部３０は、帽子１が着用された状態で、帽子１の本体１０の縁１１から突き出すように構成されている。この日除取付部３０を用いることにより、着用したままの状態で、日除けを取り付けたり、取り外したりすることができる。
【００１２】
日除取付部３０は、帯状の布（布状体）３１と、布３１の表面に取り付けられたスナップボタン（係止部）３２を備えている。図１には、スナップボタン３２の嵌合部（雌）が、帯状の布３１の外側に位置するように取り付けられた例を示しているが、布３１の内側にスナップボタン３２の嵌合部（雌）が位置するようにしてもよい。ここで、内側、外側とは、帽子１の本体１０における内側と外側に対応する。
【００１３】
スナップボタン３２の嵌合部が布３１の内側に位置する構成とした場合、日除け５０は布３１の内側すなわち着用者側に取り付けられる。このため、日除取付部３０は、日除け５０を取り付けるために必要な空間の余裕をもって、着用者から離れた位置に設けられる。したがって、日除け５０が布３１の内側に取り付けられる場合（図示せず）は、外側に取り付けられる場合（図１参照）よりも、日除取付部３０が着用者の耳などに触れにくい位置に設けられる。
【００１４】
また、スナップボタン３２の嵌合部が布３１の内側に位置する構成とした場合、日除取付部３０に日除け５０が取り付けられた状態では、着用者側には日除け５０が位置し、日除取付部３０は日除け５０の外側に位置する。このため、日除取付部３０の下端が着用者の耳に触れなくなるという点において、着用感が良くなる。
【００１５】
図１では、スナップボタン３２が等間隔で配置されているから、日除けの重みを均一に分散することができる。ただし、スナップボタン３２の配置は、等間隔に限られるものではない。
【００１６】
図２は、図１の帽子への日除けの取り付けを説明するための、本体の縁側から見た斜視図である。同図に示すように、日除け５０は、その上方の縁付近内側のスナップボタン３２に対応する位置にスナップボタン５１を備えている。スナップボタン５１は、内側面に嵌合部（雄）が位置するようにして設けられており、日除取付部３０のスナップボタン３２と着脱可能なものである。スナップボタン３２の嵌合部が布３１の内側に位置する構成とした場合、日除け５０のスナップボタンの嵌合部（雄）は、上方の縁付近外側に設けられる。なお、スナップボタン３２とスナップボタン５１の嵌合部は、雄と雌を逆にしても良い。
【００１７】
日除取付部３０は、本体１０の縁１１から着用時において、下となる側に帯状の布３１が突出するように形成されている。そして、係止手段としてのスナップボタン３２が布３１の表面に設けられている。このため、日除け５０のスナップボタン５１とスナップボタン３２とを重ねて指でつまむ動作により、簡単に両者を嵌め合わせることができる。また、日除取付部３０から日除け５０を引きはがす動作にことにより、簡単に嵌め合わせを解除することができる。
【００１８】
このように、日除け５０のスナップボタン５１と日除取付部３０のスナップボタン３２と嵌め合わせることにより、帽子１の日除け取付部３０に日除け５０を取り付けることができる。また、嵌め合わせを解除して、両者の係合を解くことにより、帽子１から日除け５０を簡単に取り外すことができる。
【００１９】
したがって、着用者は帽子１を着用したままの状態で、日除け５０を日除取付部３０に簡単に取り付けることができる。例えば、まず、日除け５０の両端のスナップボタン５１と対応するスナップボタン３２とを嵌め合わせた後、残りを嵌め合わせることにより、帽子１を着用したままの状態のままで、日除け５０を正確な位置に容易に取り付けることができる。
【００２０】
なお、従来のように、日除けを取り付けるスナップボタンを庇の下面に設けた場合、帽子を着用したままの状態で、着用者が指で触れることによってスナップボタンの位置を特定することは困難である。なぜなら、一般にハット形の帽子の庇の幅は広く、スナップボタン位置を確認するために触れる必要がある表面積が大きいからである。これに対して、帽子１では、庇２０よりも表面積が小さい日除取付部３０にスナップボタン３２が設けられている。このため、着用者は、帽子を着用したままの状態で、指で触れることによってスナップボタン３２の位置を簡単に特定することができる。
【００２１】
帽子１では、日除取付部３０と日除け５０がそれぞれ備えている、スナップボタン３２・５１の間隔および数が同じである。しかし、スナップボタン３２・５１において、その間隔および数を同じにする必要は無い。例えば、間隔を同じにした上で、スナップボタン３２をスナップボタン５１よりも多く設けてもよい。この構成とすれば、スナップボタン５１と嵌め合わせるスナップボタン３２を変えることにより、容易に日除け５０の取付位置を変えることができる。
【００２２】
図３は、図１の帽子に日除けが取り付けられた状態を本体の縁側から見た斜視図である。同図に示すように、本実施形態の帽子１では、本体１０の縁１１から突出するように設けられている日除取付部３０に、日除け５０が取り付けられる。このため、本体１０内に位置する部材は、日除け５０の取り付け前後で何ら変化しない。したがって、着用者は、日除け５０を取り付けたことよる本体１０内にある部材の状態の変化による違和感を覚えることがない。
【００２３】
また、日除け５０の重みは、日除取付部３０を介して本体１０の縁１１にかかり、庇２０にはかからない。したがって、日除け５０の重みによって、庇２０の形が崩れることがない。
また、日除け５０を縁１１の日除取付部３０に取り付けることにより、庇２０に取り付けた場合よりも、着用者の顔や首の近くに日除け５０が位置することとなる。このため、顔や首筋と日除け５０との隙間から紫外線が侵入することを防いで、日除け効果を向上させることができる。
【００２４】
日除取付部３０は、本体１０の縁１１に設けられているから、日除け５０が取り付けられていない状態では、その全体が庇２０により取り囲まれた状態となる。この庇２０の存在により、日除取付部３０が帽子１のデザインに与える影響が小さくなる。これに対して、いわゆるキャップ型の帽子４（図６参照）では、日除取付部３０の大部分が庇９０により取り囲まれていない。このため、日除取付部３０の存在が、ハット形の帽子１に比べて目立つ。この点において、本考案は、本実施形態の帽子１のようなハット形の帽子として実施する形態がより好ましいといえる。
【００２５】
日除け５０を構成する素材としては、例えば、ポリエチレンフィルムにアルミニウムを蒸着した遮光フィルムを用いることができる。これにより、紫外線などの光と共に熱を遮る効果が得られるから、着用者の快適性が向上する。遮光フィルムとしては、ひも状の遮光フィルムが隙間を開けて並んだ状態を糸で保持するように構成されシートを用いることができる。このシートには、ひも状の遮光フィルム間の隙間により、通気性が良好である。
【００２６】
また、上記シートを用いる場合、メッシュ素材のシートを上記シートの内側に設けた２重構造とすることが好ましい。これにより、遮光フィルムと着用者の肌との接触を防ぐことにより、着用時の使用感を向上させることができる。メッシュ素材のシートとしては、例えば、綿のガーゼや樹脂製のネットなどを用いることができる。綿のガーゼを用いれば肌触りが良好となり、空隙の大きな樹脂製のネットを用いれば、通気性が良好となる。
【００２７】
日除け５０の形状は、所望の日除け効果を得ることができるものであればよく、特に限定されない。ただし、上記シートのように２重構造とした場合、一般に柔軟性が低くなるから、下側の縁を着用者の肩の形状に沿った形状とすることが好ましい。例えば、図３に示すように、肩の形状に沿って、日除け５０の下端が窪んだ曲線形状に構成すれば良い。これにより、日除け５０を取り付けた状態における使用感が向上する。
【００２８】
図２、３に示すように、日除け５０の両側端には、スナップボタン３２とスナップボタン５１が設けられている。帽子１に日除け５０が取り付けられた状態において、スナップボタン３２とスナップボタン５１とを嵌め合わせれば、日除け５０により着用者の顔の下半分を覆い、日除け効果を向上させることができる（図３の点線参照）。
【００２９】
本実施形態では、日除取付部３０への日除け５０の係止手段として、スナップボタン３２・５１を用いた例について説明した。しかし、スナップボタン３２・５１は、取付手段の一例であり、他の手段を用いることもできる。雌雄のスナップボタン以外の例としては、雄雌の面ファスナー、ボタンと孔、ジッパー、袋状部とピンなどが挙げられる。
【００３０】
図４は、本考案の第１の実施形態の帽子（その２）を本体の縁側から見た斜視図である。同図の帽子２は、日除取付部３０の代わりに、布６１に２つの切欠き６３が形成された日除け取付部６０を備えている構成において、図１の帽子１と異なっている。同図に示す帽子２の日除取付部６０のように、帯状の布６１における帽子２の本体１０の両側、すなわち着用者の両耳が位置する部分に切欠き６３を設けることにより、着用者の耳が日除取付部６０により覆われることがなくなるから、快適性が向上する。
【００３１】
図５は、本考案の第１の実施形態の帽子（その３）を本体の縁側から見た斜視図である。同図の帽子３は、１つの帯状の布３１に複数のスナップボタン３２が設けられた日除取付部３０の代わりに、布７１のそれぞれに１つのスナップボタン３２が設けられた日除取付部７０を備えている構成において、図１の帽子１と異なっている。
帽子３では、本体１０の縁１１において、日除取付部７０の布７１が占める領域が小さくなるから、着用時における快適性が向上する。
【００３２】
〔第２の実施形態〕
図６は本考案の第２の実施形態の帽子を本体の縁側から見た斜視図であり、図７は図６の帽子に日除けが取り付けられた状態を本体の縁側から見た斜視図である。これらの図に示すように、本実施形態の帽子４は、本体８０の前方にのみ庇９０が設けられた、いわゆるキャップ型の帽子である構成において、第１の実施形態における帽子１（図１参照）とは異なっている。庇９０以外の構成、すなわち、日除取付部３０、折り返し部４０および日除け５０は、帽子１と同じであるから、以下では、説明を省略する。
【００３３】
日除け５０の取り付けは、帽子４においても帽子１と同様にして行うことができる。図６の帽子４は、日除け５０が取り付けられていない状態において、縁８１が庇９０により取り囲まれている領域は一部である、このため、日除取付部３０の多くの部分は、庇９０により覆われない（図１、図６参照）。この結果、キャップ形の帽子４では、ハット形の帽子１よりも日除取付部３０が目立つ。このため、実施の形態１において説明したとおり、本考案はハット形の帽子により適している。
【００３４】
しかし、帽子４においても、日除け５０の取り付け前後において、本体８０内に位置する部材の状態は何ら変化しない。このため、着用者が感じる違和感が少ないという作用は、キャップ型の帽子４であってもハット形の帽子１と同じである。したがって、本考案をキャップ型の帽子として実施した場合も、帽子を着用した状態のままで日除けを着脱でき、着用者が違和感を覚えることがなく、かつ帽子が変形しないという効果を奏する。
なお、ハット形の帽子１同様、キャップ型の帽子４も、日除取付部３０を日除取付部６０（図４参照）や日除取付部７０（図５参照）に置き換えて実施することができる。
【００３５】
第１および第２の実施形態の何れの帽子も、紫外線の状況や必要な遮光効果に対応して日除けを取り換えることができ、また、異なる帽子間で日除けを共用することもできる。
【産業上の利用可能性】
【００３６】
本考案は、日常生活やガーデニングや農作業などの野外作業用の日除け帽子として利用することができる。
【符号の説明】
【００３７】
１、２、３、４  帽子（日除け帽子）
１０、８０  本体
１１、８１  縁
２０、９０  庇
３０、６０、７０  日除取付部
３１、７１  布（布状体）
３２  スナップボタン（係止部）
６３  切欠き
４０  折り返し部
５０  日除け
【図１】
0003186627.tif 000003
【図２】
0003186627.tif 000004
【図３】
0003186627.tif 000005
【図４】
0003186627.tif 000006
【図５】
0003186627.tif 000007
【図６】
0003186627.tif 000008
【図７】
0003186627.tif 000009